(57)【要約】【課題】  この発明は、ジャム処理によって排出される記録紙と、リカバリー印刷された記録紙とが区別しやすくなる画像形成装置を提供することを目的とする。【解決手段】  ジャム発生時にジャム発生位置より上流側の記録紙搬送経路内に記録紙が残っていた場合には、画像形成装置機内の搬送経路に残っている記録紙を全て排出する際に、ジャム発生位置より上流側の記録紙搬送経路内に残っている記録紙に対して、所定のマークを印刷させる手段を備えている。【選択図】  図１
2006235294.tif 000002
【特許請求の範囲】
【請求項１】
印刷処理中に紙詰まりが発生（ジャムが発生）した場合には、印刷処理を中断してジャム表示を行い、ユーザによってジャムの原因となった記録紙が除去された後に、画像形成装置機内の搬送経路に残っている記録紙を全て排出した後、印刷動作を再開し、印刷動作を再開する際には、まず、ジャムの原因となった用紙とジャムの発生位置より上流側に残っていた記録紙とに印刷されるべきであった画像を、改めて印刷（リカバリー印刷）する画像形成装置において、
ジャム発生時にジャム発生位置より上流側の記録紙搬送経路内に記録紙が残っていた場合には、画像形成装置機内の搬送経路に残っている記録紙を全て排出する際に、ジャム発生位置より上流側の記録紙搬送経路内に残っている記録紙に対して、所定のマークを印刷させる手段を備えていることを特徴とする画像形成装置。
【請求項２】
印刷処理中に紙詰まりが発生（ジャムが発生）した場合には、印刷処理を中断してジャム表示を行い、ユーザによってジャムの原因となった記録紙が除去された後に、画像形成装置機内の搬送経路に残っている記録紙を全て排出した後、印刷動作を再開し、印刷動作を再開する際には、まず、ジャムの原因となった用紙とジャムの発生位置より上流側に残っていた記録紙とに印刷されるべきであった画像を、改めて印刷（リカバリー印刷）する画像形成装置において、
ジャム発生時にジャム発生位置より上流側の記録紙搬送経路内に記録紙が残っていた場合には、画像形成装置機内の搬送経路に残っている記録紙を全て排出する際に、ジャム発生位置より上流側の記録紙搬送経路内に残っている記録紙に対して、ステイプル処理を行う手段を備えていることを特徴とする画像形成装置。
【請求項３】
印刷処理中に紙詰まりが発生（ジャムが発生）した場合には、印刷処理を中断してジャム表示を行い、ユーザによってジャムの原因となった記録紙が除去された後に、画像形成装置機内の搬送経路に残っている記録紙を全て排出した後、印刷動作を再開し、印刷動作を再開する際には、まず、ジャムの原因となった用紙とジャムの発生位置より上流側に残っていた記録紙とに印刷されるべきであった画像を、改めて印刷（リカバリー印刷）する画像形成装置において、
ジャム発生時にジャム発生位置より上流側の記録紙搬送経路内に記録紙が残っていた場合には、画像形成装置機内の搬送経路に残っている記録紙を全て排出する際に、ジャム発生位置より上流側の記録紙搬送経路内に残っている記録紙に対して、パンチ孔加工を行う手段を備えていることを特徴とする画像形成装置。
【請求項４】
印刷処理中に紙詰まりが発生（ジャムが発生）した場合には、印刷処理を中断してジャム表示を行い、ユーザによってジャムの原因となった記録紙が除去された後に、画像形成装置機内の搬送経路に残っている記録紙を全て排出した後、印刷動作を再開し、印刷動作を再開する際には、まず、ジャム発生時に画像形成装置機内の搬送経路に残っていた全ての記録紙に印刷されるべきであった画像を、改めて印刷（リカバリー印刷）する画像形成装置において、
ジャム発生後に画像形成装置機内の搬送経路に残っている記録紙を全て排出する際に、各記録紙に対して、所定のマークを印刷させる手段を備えていることを特徴とする画像形成装置。
【請求項５】
印刷処理中に紙詰まりが発生（ジャムが発生）した場合には、印刷処理を中断してジャム表示を行い、ユーザによってジャムの原因となった記録紙が除去された後に、画像形成装置機内の搬送経路に残っている記録紙を全て排出した後、印刷動作を再開し、印刷動作を再開する際には、まず、ジャム発生時に画像形成装置機内の搬送経路に残っていた全ての記録紙に印刷されるべきであった画像を、改めて印刷（リカバリー印刷）する画像形成装置において、
ジャム発生後に画像形成装置機内の搬送経路に残っている記録紙を全て排出する際に、各記録紙に対して、ステイプル処理を行う手段を備えていることを特徴とする画像形成装置。
【請求項６】
印刷処理中に紙詰まりが発生（ジャムが発生）した場合には、印刷処理を中断してジャム表示を行い、ユーザによってジャムの原因となった記録紙が除去された後に、画像形成装置機内の搬送経路に残っている記録紙を全て排出した後、印刷動作を再開し、印刷動作を再開する際には、まず、ジャム発生時に画像形成装置機内の搬送経路に残っていた全ての記録紙に印刷されるべきであった画像を、改めて印刷（リカバリー印刷）する画像形成装置において、
ジャム発生後に画像形成装置機内の搬送経路に残っている記録紙を全て排出する際に、各記録紙に対して、パンチ孔加工を行う手段を備えていることを特徴とする画像形成装置。
【発明の詳細な説明】
【技術分野】
【０００１】
この発明は、複写機等の画像形成装置に関する。
【背景技術】
【０００２】
複写機等の画像形成装置においては、複写処理中に紙詰まりが発生（ジャムが発生）した場合には、複写処理を中断し、ジャム発生位置等を含むジャム表示を行う。このジャム表示に基づいて、ユーザはジャムの原因となった記録紙を取り除く。この後、複写機内の搬送経路に残っている記録紙を全て排出した後、複写動作を再開する。複写動作を再開する際には、まず、ジャムの原因となった用紙とジャムの発生位置より上流側に残っていた記録紙とに印刷されるべきであった画像を、改めて印刷（リカバリー印刷）する。あるいは、ジャム発生時に複写機内に残っていた全ての記録紙に印刷されるべきであった画像を、改めて印刷（リカバリー印刷）する。この後、引き続いて通常の印刷が行われる。
【０００３】
ところで、ジャムが発生した場合に、既に印刷が行われた記録紙が複写機内に残っている場合がある。このような不要な記録紙の中で、ユーザによって取り除かれなかった記録紙は、排出トレイ上に排出されるが、その後にリカバリー印刷された記録紙が排出されるため、不要な記録紙とリカバリー印刷された記録紙とを区別しにくいという問題がある。
【特許文献１】特開２００４−１７５４８２号公報
【特許文献２】特開平７−９７０９６号公報
【発明の開示】
【発明が解決しようとする課題】
【０００４】
この発明は、ジャム処理によって排出される記録紙と、リカバリー印刷された記録紙とが区別しやすくなる画像形成装置を提供することを目的とする。
【課題を解決するための手段】
【０００５】
請求項１に記載の発明は、印刷処理中に紙詰まりが発生（ジャムが発生）した場合には、印刷処理を中断してジャム表示を行い、ユーザによってジャムの原因となった記録紙が除去された後に、画像形成装置機内の搬送経路に残っている記録紙を全て排出した後、印刷動作を再開し、印刷動作を再開する際には、まず、ジャムの原因となった用紙とジャムの発生位置より上流側に残っていた記録紙とに印刷されるべきであった画像を、改めて印刷（リカバリー印刷）する画像形成装置において、ジャム発生時にジャム発生位置より上流側の記録紙搬送経路内に記録紙が残っていた場合には、画像形成装置機内の搬送経路に残っている記録紙を全て排出する際に、ジャム発生位置より上流側の記録紙搬送経路内に残っている記録紙に対して、所定のマークを印刷させる手段を備えていることを特徴とする。
【０００６】
請求項２に記載の発明は、印刷処理中に紙詰まりが発生（ジャムが発生）した場合には、印刷処理を中断してジャム表示を行い、ユーザによってジャムの原因となった記録紙が除去された後に、画像形成装置機内の搬送経路に残っている記録紙を全て排出した後、印刷動作を再開し、印刷動作を再開する際には、まず、ジャムの原因となった用紙とジャムの発生位置より上流側に残っていた記録紙とに印刷されるべきであった画像を、改めて印刷（リカバリー印刷）する画像形成装置において、ジャム発生時にジャム発生位置より上流側の記録紙搬送経路内に記録紙が残っていた場合には、画像形成装置機内の搬送経路に残っている記録紙を全て排出する際に、ジャム発生位置より上流側の記録紙搬送経路内に残っている記録紙に対して、ステイプル処理を行う手段を備えていることを特徴とする画像形成装置。
【０００７】
請求項３に記載の発明は、印刷処理中に紙詰まりが発生（ジャムが発生）した場合には、印刷処理を中断してジャム表示を行い、ユーザによってジャムの原因となった記録紙が除去された後に、画像形成装置機内の搬送経路に残っている記録紙を全て排出した後、印刷動作を再開し、印刷動作を再開する際には、まず、ジャムの原因となった用紙とジャムの発生位置より上流側に残っていた記録紙とに印刷されるべきであった画像を、改めて印刷（リカバリー印刷）する画像形成装置において、ジャム発生時にジャム発生位置より上流側の記録紙搬送経路内に記録紙が残っていた場合には、画像形成装置機内の搬送経路に残っている記録紙を全て排出する際に、ジャム発生位置より上流側の記録紙搬送経路内に残っている記録紙に対して、パンチ孔加工を行う手段を備えていることを特徴とする。
【０００８】
請求項４に記載の発明は、印刷処理中に紙詰まりが発生（ジャムが発生）した場合には、印刷処理を中断してジャム表示を行い、ユーザによってジャムの原因となった記録紙が除去された後に、画像形成装置機内の搬送経路に残っている記録紙を全て排出した後、印刷動作を再開し、印刷動作を再開する際には、まず、ジャム発生時に画像形成装置機内の搬送経路に残っていた全ての記録紙に印刷されるべきであった画像を、改めて印刷（リカバリー印刷）する画像形成装置において、ジャム発生後に画像形成装置機内の搬送経路に残っている記録紙を全て排出する際に、各記録紙に対して、所定のマークを印刷させる手段を備えていることを特徴とする。
【０００９】
請求項５に記載の発明は、印刷処理中に紙詰まりが発生（ジャムが発生）した場合には、印刷処理を中断してジャム表示を行い、ユーザによってジャムの原因となった記録紙が除去された後に、画像形成装置機内の搬送経路に残っている記録紙を全て排出した後、印刷動作を再開し、印刷動作を再開する際には、まず、ジャム発生時に画像形成装置機内の搬送経路に残っていた全ての記録紙に印刷されるべきであった画像を、改めて印刷（リカバリー印刷）する画像形成装置において、ジャム発生後に画像形成装置機内の搬送経路に残っている記録紙を全て排出する際に、各記録紙に対して、ステイプル処理を行う手段を備えていることを特徴とする。
【００１０】
請求項６に記載の発明は、印刷処理中に紙詰まりが発生（ジャムが発生）した場合には、印刷処理を中断してジャム表示を行い、ユーザによってジャムの原因となった記録紙が除去された後に、画像形成装置機内の搬送経路に残っている記録紙を全て排出した後、印刷動作を再開し、印刷動作を再開する際には、まず、ジャム発生時に画像形成装置機内の搬送経路に残っていた全ての記録紙に印刷されるべきであった画像を、改めて印刷（リカバリー印刷）する画像形成装置において、ジャム発生後に画像形成装置機内の搬送経路に残っている記録紙を全て排出する際に、各記録紙に対して、パンチ孔加工を行う手段を備えていることを特徴とする。
【発明の効果】
【００１１】
この発明によれば、ジャム処理によって排出される記録紙と、リカバリー印刷された記録紙とが区別しやすくなる。
【発明を実施するための最良の形態】
【００１２】
以下、図面を参照して、この発明を複写機に適用した場合の実施例について説明する。
【実施例１】
【００１３】
図１は、複写機の機構を示している。
【００１４】
複写機本体１００の上面には、通常時において、複写すべき原稿（複写原稿）が載置されるコンタクトガラス１が設けられている。複写機の上面には、自動原稿搬送装置（ＡＤＦ）２００が設けられている。さらに、複写機の上面には、タッチパネル付表示器、スタートキー等の各種キーを備えた操作表示部（図示略）が設けられている。
【００１５】
複写機本体の下部には、３つの給紙カセット２、３、４が設けられている。複写機本体の右側面の中段には、手差しトレイ５が設けられている。複写機本体の左側面の中段には、排紙トレイ６が設けられている。
【００１６】
複写機本体内の上部には、露光機構、プリント機構、記録紙搬送機構が設けられている。
【００１７】
露光機構（原稿読み取り装置）２０は、コンタクトガラス１上に載置された原稿の画像を走査するための露光ランプ２１および原稿からの反射光を反射する第１ミラー２２を備えた第１光学走行体３１、第１ミラー２２によって反射された光を集光レンズ２５に導くための第２および第３ミラー２３、２４を備えた第２光学走行体３２、集光レンズ２５によって得られた光情報を電気信号に変換するためのＣＣＤ等の固体撮像素子２６、固体撮像素子２６によって得られた画像情報等が入力される制御ユニット２７ならびに制御ユニット２７からの信号を光信号（レーザ光）に変換するレーザユニット２８を備えている。レーザユニット２８から出力されるレーザ光は、感光体ドラム１１に照射される。
【００１８】
第１光学系走行体３１および第２光学系走行体３２は、図示しないスキャンモータによって、左右方向に往復動される。第２光学系走行体３２は、第１光学系走行体３１の速度の１／２の速度で、第１光学系走行体３１の移動距離の１／２の距離を移動する。
【００１９】
制御ユニット２７には、固体撮像素子２６によって得られた画像情報の他、操作表示部等からの信号が入力される。制御ユニット２７は、複写機全体の制御を行う他、複写原稿に対する固体撮像素子２６の出力（画像情報）に基づいて画像形成を行うための信号を生成してレーザユニット２８に制御信号を出力する機能を備えている。
【００２０】
プリント機構は、感光体ドラム１１を備えている。感光体ドラム１１は、図示しないメインモータによって矢印の方向に回転駆動される。感光体ドラム１１の周囲には、その回転方向の順に、感光体ドラム１１の表面の感光層を帯電させる帯電器１２、感光層上に形成された静電潜像をトナー顕像として顕像化する現像装置１３、感光層上に形成されたトナー顕像を記録紙に転写する転写用放電器１４、感光体ドラム１１から記録紙を分離するための分離用放電器１５、転写後の感光体ドラム１１上に残留しているトナーを除去するクリーニング装置１６および感光体ドラム１１表面の電荷を除去する除電器１７が配されている。
【００２１】
記録紙搬送機構は、給紙カセット２、３、４の右側から手差トレイ５付近まで上方にのび、それから左側に屈曲して排紙トレイ６までのびた記録紙搬送路６１を備えている。手差しトレイ５の内側端付近には、手差しトレイ５上の記録紙を給紙して記録紙搬送路６１に搬送するための給紙ロ−ラ５１およびさばきローラ対５２が設けられている。記録紙搬送路６１の各給紙カセット２、３、４付近には、各給紙カセット内の記録紙を給紙して記録紙搬送路６１に搬送するための図示しない給紙ローラおよびさばきローラ対が設けられている。
【００２２】
また、記録紙搬送路６１の感光体ドラム１１の上流側には、記録紙を所定のタイミングで感光体ドラム１１に搬送するためのレジストローラ対５７が設けられている。さらに、記録紙搬送路６１の感光体ドラム１１と定着ローラ対５９との間には、感光体ドラム１１上に形成されたトナー顕像が転写されかつ感光体ドラム１１から剥離された記録紙を定着ローラ対５９まで搬送する搬送ベルト５８が設けられている。定着ローラ対５９によって定着処理が施された転写紙は、排出ローラ６０を介して排紙トレイ６上に送られる。
【００２３】
定着ローラ対５９と排出ローラ６０との間には、所定のマーキングパターン（例えば、×印）を印刷するためのスタンプ装置７０が設けられている。なお、図示しないが、記録紙搬送路６１上の複数箇所には、ジャムの発生およびジャムの発生位置を検知するための記録紙検知器が設けられている。
【００２４】
ところで、複写処理中に紙詰まりが発生（ジャムが発生）した場合には、複写処理を中断し、ジャム発生位置等を含むジャム表示を行う。このジャム表示に基づいて、ユーザはジャムの原因となった記録紙を取り除く。この後、複写機内の搬送経路に残っている記録紙を全て排出した後、複写動作を再開する。複写動作を再開する際には、まず、ジャムの原因となった用紙とジャムの発生位置より上流側に残っていた記録紙とに印刷されるべきであった画像を、改めて印刷（リカバリー印刷）する。あるいは、ジャム発生時に複写機内の搬送経路に残っていた全ての記録紙に印刷されるべきであった画像を、改めて印刷（リカバリー印刷）する。この後、引き続いて通常の印刷が行われる。
【００２５】
複写動作を再開する際に、ジャムの原因となった用紙とジャムの発生位置より上流側に残っていた記録紙とに印刷されるべきであった画像をリカバリー印刷する場合の、ジャム処理について説明する。
【００２６】
図２は、制御ユニット２７によって行われるジャム処理手順を示している。
制御ユニット２７は、複写処理中においては、記録紙搬送路６１上に設けられた複数の記録紙検知器の出力信号に基づいて、ジャムが発生したか否かを常時監視している。複写処理中にジャムが発生したことおよびジャム発生位置が検知されると（ステップＳ１）、複写処理を中断する（ステップＳ２）。そして、ジャム発生位置より上流側の記録紙搬送経路６１に記録紙が残っているか否かを判別する（ステップＳ３）。
【００２７】
ジャム発生位置より上流側の記録紙搬送経路６１に記録紙が残っていない場合には、まず、ジャム発生位置やジャムが発生した旨を操作表示部に表示（ジャム表示）する（ステップＳ４）。このジャム表示に基づいて、ユーザはジャムの原因となった記録紙を取り除く。ジャムの原因となった記録紙が除去されると（ステップＳ５）、複写機内の記録紙搬送経路６１に残っている記録紙を全て排出した後（ステップＳ６）、複写動作を再開する（ステップＳ７）。複写動作を再開した際には、ジャムの原因となった記録紙に印刷されるべきであった画像を、改めて印刷（リカバリー印刷）し、この後、通常の印刷を継続して行う。
【００２８】
ジャム発生位置より上流側の記録紙搬送経路６１に記録紙が残っている場合には、まず、ジャム発生位置やジャムが発生した旨を操作表示部に表示（ジャム表示）する（ステップＳ８）。このジャム表示に基づいて、ユーザはジャムの原因となった記録紙を取り除く。ジャムの原因となった記録紙が除去されると（ステップＳ９）、複写機内の記録紙搬送経路６１に残っている記録紙を全て排出するとともに、ジャム発生位置より上流側の記録紙搬送経路６１に残っていた記録紙に対してはその排出過程においてスタンプ装置７０によってマーキングパターンを印刷する（ステップＳ１０）。複写機内の記録紙搬送経路６１に残っている記録紙が全て排出されると、複写動作を再開する（ステップＳ１１）。複写動作を再開した際には、ジャムの原因となった記録紙と、ジャムの発生位置より上流側の記録紙搬送経路６１に残っていた記録紙とに印刷されるべきであった画像を、改めて印刷（リカバリー印刷）し、この後、通常の印刷を継続して行う。
【００２９】
上記実施例によれば、複写機内の記録紙搬送経路６１に残っている記録紙を排出する際に、ジャム発生位置より上流側の記録紙搬送経路６１に残っていた記録紙に対しては排出過程においてスタンプ装置７０によってマーキングパターンを印刷しているので、ジャム処理によって排出された記録紙と、リカバリー印刷された記録紙とが区別しやすくなる。      
【００３０】
複写動作を再開する際に、ジャム発生時に複写機内の記録紙搬送経路６１に残っていた全ての記録紙に印刷されるべきであった画像をリカバリー印刷する場合の、ジャム処理について説明する。
【００３１】
図３は、制御ユニット２７によって行われるジャム処理手順を示している。
制御ユニット２７は、複写処理中においては、記録紙搬送路６１上に設けられた複数の記録紙検知器の出力信号に基づいて、ジャムが発生したか否かを常時監視している。複写処理中にジャムが発生したことおよびジャム発生位置が検知されると（ステップＳ２１）、複写処理を中断する（ステップＳ２２）。そして、ジャム発生位置やジャムが発生した旨を操作表示部に表示（ジャム表示）する（ステップＳ２３）。このジャム表示に基づいて、ユーザはジャムの原因となった記録紙を取り除く。
【００３２】
ジャムの原因となった記録紙が除去されると（ステップＳ２４）、複写機内の記録紙搬送経路６１に残っている記録紙を全て排出するとともに、各記録紙に対してその排出過程においてスタンプ装置７０によってマーキングパターンを印刷する（ステップＳ２５）。複写機内の記録紙搬送経路６１に残っている記録紙が全て排出されると、、複写動作を再開する（ステップＳ２６）。複写動作を再開した際には、ジャム発生時に複写機内の記録紙搬送経路６１に残っていた全ての記録紙に印刷されるべきであった画像を、改めて印刷（リカバリー印刷）し、この後、通常の印刷を継続して行う。
【００３３】
上記実施例によれば、複写機内の記録紙搬送経路６１に残っている記録紙を排出する際に、各記録紙にスタンプ装置７０によってマーキングパターンを印刷しているので、ジャム処理によって排出された記録紙と、リカバリー印刷された記録紙とが区別しやすくなる。
【００３４】
なお、複写機から排出された記録紙に対してステープル処理またはパンチ孔加工処理を行うフィニッシャーが複写機に装着されている場合には、スタンプ装置７０によってマーキングパターンを印刷する代わりに、フィニッシャーによってステイプル処理またはパンチ孔加工処理を行うようにしてもよい。また、スタンプ装置７０によってマーキングパターンを印刷する代わりに、複写機のプリント機構によってマーキングパターンを印刷するようにしてもよい。
【図面の簡単な説明】
【００３５】
【図１】複写機の機構を示す構成図である。
【図２】制御ユニット２７によって行われるジャム処理手順を示すフローチャートである。
【図３】制御ユニット２７によって行われるジャム処理手順の他の例を示すフローチャートである。
【符号の説明】
【００３６】
２７  制御ユニット
６１  記録紙搬送経路
７０  スタンプ装置
【図１】
2006235294.tif 000003
【図２】
2006235294.tif 000004
【図３】
2006235294.tif 000005